(57)【要約】【課題】さらに軽量で、よりコンパクトな携帯型照明装置を提供する。【解決手段】携帯ライト１は、図示しない二次電池を内蔵する本体部２と、４台の面状発光装置３を備え、本体部２と４台の面状発光装置３の間には膜体４があって、本体部２と４台の面状発光装置３を互いに連結している。また、面状発光装置３は、正面に有機ＥＬ素子５を備える。膜体４は柔軟な素材で構成されて、自在に折り曲げることができるので、携帯用照明装置１をコンパクトに折り畳むことができる。あるいは、面状発光装置３の有機ＥＬ素子５を備える面の反対面に太陽電池パネルを備えて、該太陽電池パネルで発生する電力で本体部２に内蔵された二次電池を充電する。【選択図】図１
2011065829.tif 000002
【特許請求の範囲】
【請求項１】
電源を内蔵する本体部と、
複数の面状発光体と、
前記本体部と前記複数の面状発光体を折り畳み自在に連結する膜体を備える
ことを特徴とする携帯型照明装置。
【請求項２】
電源を内蔵する本体部と、
可撓性を有する面状発光体を備えるとともに、
前記面状発光体は前記本体部に巻き付け自在に連結されている
ことを特徴とする携帯型照明装置。
【請求項３】
前記面状発光体は、有機ＥＬ素子を備える
ことを特徴とする請求項１または請求項２に記載の携帯型照明装置。
【請求項４】
前記電源は二次電池である
ことを特徴とする請求項１または請求項２に記載の携帯型照明装置。
【請求項５】
太陽電池を備えて、
前記太陽電池で発生した電力で、前記二次電池を充電する
ことを特徴とする請求項４に記載の携帯型照明装置。
【請求項６】
前記太陽電池を前記面状発光体の発光面の反対面に備える
ことを特徴とする請求項５に記載の携帯型照明装置。
【発明の詳細な説明】
【技術分野】
【０００１】
本発明は、携帯型照明装置に関する。
【背景技術】
【０００２】
面状発光体を備える携帯型照明装置が知られている。例えば、特許文献１には、有機ＥＬ（エレクトロルミネッセンス）素子を有する面状発光装置を収容する複数個の筐体を備えるとともに、連結部を介して前記複数個の筐体を互いに回動自在に連結した照明装置が開示されている。この照明装置を使用する時には、複数個の筐体を展開して、全ての面状発光装置の発光を照明対象に向けることができるので、大きな照度が得られる。また、使用しない時には、複数個の筐体を折り畳んで、コンパクトに纏めることができるので、携帯に便利である。
【０００３】
また、有機ＥＬ発光層を積層した発光体シートを使って、照明装置を構成することが特許文献２で提案されている。この発光体シートは可撓性を有するので、自在に変形することができる。
【先行技術文献】
【特許文献】
【０００４】
【特許文献１】特開２００６−１４７２６２号公報
【特許文献２】特開２００９−１４０９８７号公報
【発明の概要】
【発明が解決しようとする課題】
【０００５】
特許文献１に記載の照明装置は、有機ＥＬ素子を有する面状発光装置を収容する複数個の筐体を互いに回動自在に連結しているので、コンパクトに折り畳んで、携帯することができる。しかしながら、筐体と筐体の間に連結部が介在し、筐体と連結部の間に回動軸を設けているので、全体として大きく重くなるという問題があった。
【０００６】
本発明は、このような背景に鑑みてなされたものであり、さらに軽量で、よりコンパクトな携帯型照明装置を提供することを目的とする。
【課題を解決するための手段】
【０００７】
上記課題を解決するため、本発明に係る携帯型照明装置は、電源を内蔵する本体部と、複数の面状発光体と、前記本体部と前記複数の面状発光体を折り畳み自在に連結する膜体を備えることを特徴とする。
【０００８】
あるいは、本発明に係る携帯型照明装置は、電源を内蔵する本体部と、可撓性を有する面状発光体を備えるとともに、前記面状発光体は前記本体部に巻き付け自在に連結されていることを特徴とする。
【発明の効果】
【０００９】
本発明によれば、本体部と複数の面状発光体が膜体を介して折り畳み自在に連結されているので、連結部と回動軸を介する場合に比べて、軽量かつコンパクトな携帯型照明装置が実現できる。また、面状発光体自体が可撓性を有していて、面状発光体を本体部に巻き付けることができるので、更に軽量かつコンパクトな携帯型照明装置が実現できる。
【図面の簡単な説明】
【００１０】
【図１】本発明の実施形態を示す携帯ライトの斜視図である。
【図２】携帯ライトを図１のＡ方向から見た部分平面図である。
【図３】携帯ライトを折り畳んだ状態を示す平面図である。
【図４】本発明の別の実施形態を示す携帯ライトの外形図である。
【発明を実施するための形態】
【００１１】
以下、本発明の具体的な実施形態を、図面を参照しながら説明する。
【００１２】
携帯用ライト１は、本発明の具体的な実施形態を示す携帯型照明装置の一例であり、図１に示すように、本体部２と、４台の面状発光装置３を有する。また、本体部２と本体部２に隣接する面状発光装置３の間、及び互いに隣接する２台の面状発光装置３の間には膜体４があって、本体部２と４台の面状発光装置３を互いに連結している。
【００１３】
本体部２は、図示しない二次電池を内蔵する筐体である。該二次電池は面状発光装置３に点灯用の電力を供給する電源として機能する。また、該二次電池の種類や形式は問わない。例えば、鉛蓄電池、リチウムイオン二次電池、ニッケルカドミウム蓄電池など、公知の二次電池の中から、適当なものを選択すればよい。
【００１４】
また、該二次電池への充電は、携帯用ライト１を図示しない公知の充電装置を介して、商用電源に接続して行う。また、後述する太陽電池パネル６で発生する電力を、該二次電池に充電することもできる。
【００１５】
面状発光装置３は、正面に有機ＥＬ素子５を備え、裏面に太陽電池パネル６（図２参照）を備える矩形のパネル状である。
【００１６】
有機ＥＬ素子５は、陽極板と陰極板の間に有機層を挟んでなる平面状の発光素子であり、陽極板と陰極板の間に電圧を印加すると、有機層に有機エレクトロルミネッセンス（Organic Electro-Luminescence）が生じて発光する。なお、有機ＥＬ素子５の具体的な構成は、例えば特開２００９−４８８１４号公報等に開示されているので、詳細な説明は省略する。
【００１７】
太陽電池パネル６は、光エネルギーを電力に変換する公知の装置、例えば、ｐｎ接合型あるいは色素増感型の太陽電池であり、太陽光（携帯用ライト１を野外に置いた場合）あるいは、人工光（携帯用ライト１を室内に置いた場合）を受けて、電力を発生させる。また、前述したように太陽電池パネル６で発生した電力は、本体部２に内蔵された二次電池に蓄えられる。
【００１８】
膜体４は、本体部２と本体部２に隣接する面状発光装置３、及び互いに隣接する２台の面状発光装置３を連結するシート状の部材である。膜体４の素材、形状あるいは寸法は特に限定されないが、面内方向の十分な引っ張り強度と、面外方向の十分な柔軟性あるいは可撓性を備える素材、形状及び寸法を選ぶ。つまり、引っ張り荷重を加えても容易には避けず、面外方向には容易に曲げられる軟質の合成樹脂等のシートを選ぶ。
【００１９】
なお、膜体４の内部には、図示しない導体（例えば金属薄膜）が埋め込まれ、本体部２と面状発光装置３の間の通電に使用される。つまり、該導体は本体部２に内蔵された二次電池から面状発光装置３の有機ＥＬ素子５への電力の供給、及び面状発光装置３の太陽電池パネル６から本体部２内の前記二次電池への電力の供給に使用される。
【００２０】
携帯用ライト１は、このような膜体４を介して、本体部２と面状発光装置３を連結しているので、使用時には、図１に示すように、面状発光装置３を同一平面に並べて、有機ＥＬ素子５の発光方向を揃えることができる。
【００２１】
また、携帯用ライト１を使用しない時は、膜体４を折り曲げて面状発光装置３を折り畳むことができる。例えば図３（ａ）に示すように、面状発光装置３をつづら折りにして折り畳むことができる。あるいは、図３（ｂ）に示すように、面状発光装置３を本体部２に巻き付けることもできる。このように携帯用ライト１は面状発光装置３を小さく折り畳むことができるので、格納や運搬に好都合である。
【００２２】
携帯用ライト１は、図４に示すように構成されてもよい。つまり、面状発光装置３と膜体４の組合せに代えて、面状発光体７を本体部２に連結して携帯用ライト１を構成してもよい。
【００２３】
なお、面状発光体７は、柔軟な合成樹脂フィルム上に、陽極層、有機層及び陰極層を積層してなる有機ＥＬ発光素子であり、自在に曲げることができる。なお、面状発光体７の具体的な構成は、例えば、特開２００４−２８１０８５号公報に開示されているので、ここでは詳細な説明を省略する。
【００２４】
面状発光体７は、自在に曲げることができるので、図４（ｂ）に示すように、本体部２の回りに、巻き付けることができる。このため、携帯用ライト１は。格納や運搬に好都合である。
【００２５】
なお、本明細書で開示された実施形態は、本発明の具体的な実施態様の一例にすぎない。つまり本発明の技術的範囲は本明細書で開示された実施形態と同一の範囲に限定されるものではない。本発明は特許請求の範囲に記載された技術的思想の範囲内で、自在に応用、変形あるいは改良して実施することができる。
【００２６】
例えば、本体部の形状は上記実施形態に示したような四角柱状には限られない。扁平な方形であっても良いし、三角柱、円柱、その他各種の形状を自在に選択することができる。
【００２７】
また、面状発光体は、面状発光体を相互に連結する膜体を折り曲げて折り畳めるように構成されていれば十分であり、特に薄さを要求されるものではない。つまり、面状発光体は発光面の平面寸法に対して厚さ寸法が小さい発光体には限定されない。もちろん、面状発光体の平面形は、上記実施形態に示したような矩形には限定されない。各種の形状を自在に選択することができる。
【００２８】
また、膜体の素材として合成樹脂を例示したが、膜体の素材は合成樹脂膜体には限定されない。膜体は屈曲と展開を繰り返せるような柔軟性を備えていれば十分であり、各種公知のあるいは将来出現する各種の素材の中から自由に選択することができる。
【００２９】
また、柔軟な合成樹脂フィルム上に、陽極層、有機層及び陰極層を積層してなる有機ＥＬ発光素子を、可撓性を有する面状発光体の例として示したが、本発明の面状発光体はかかる有機ＥＬ発光素子には限定されない。要は面状発光体自身が柔軟性を備えて、自在に折り曲げたり、円筒状に巻回できれば、素材や機械的構成を自由に選択することができる。
【符号の説明】
【００３０】
１  携帯用ライト
２  本体部
３  面状発光装置
４  膜体
５  有機ＥＬ素子
６  太陽電池パネル
７  面状発光体
【図１】
2011065829.tif 000003
【図２】
2011065829.tif 000004
【図３】
2011065829.tif 000005
【図４】
2011065829.tif 000006